【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
コンピュータに、
第１コンテンツが有する所定の領域に、当該第１コンテンツとは異なる第２コンテンツを配置して当該第１コンテンツと第２コンテンツとを表示する表示手順と、
前記第１コンテンツ又は前記第２コンテンツを移動させる移動操作に従って、前記第１コンテンツと前記第２コンテンツとを同じ速度で移動させる移動手順と、
前記移動操作に従って、前記第２コンテンツが画面内における所定の位置まで移動した場合は、当該第２コンテンツを表示する位置を固定する固定手順と
を実行させるための情報表示プログラム。
【請求項２】
前記移動手順は、前記固定手順で前記第２コンテンツを表示する位置を固定した場合は、前記移動操作に従って、前記第１コンテンツのみを移動させることを特徴とする請求項１に記載の情報表示プログラム。
【請求項３】
前記表示手順は、前記固定手順で第２コンテンツを表示する位置を固定した場合は、利用者から選択された際に当該第２コンテンツを表示する位置の固定を解除する解除表示を、当該第２コンテンツと重ねて表示することを特徴とする請求項１または２に記載の情報表示プログラム。
【請求項４】
前記表示手順は、利用者が前記解除表示を選択した場合は、前記第１コンテンツが有する所定の領域に前記第２コンテンツを配置しなおして表示することを特徴とする請求項３に記載の情報表示プログラム。
【請求項５】
前記移動手順は、前記利用者が前記解除表示を選択した場合は、前記移動操作に従って、前記第１コンテンツと前記第２コンテンツとを移動させることを特徴とする請求項３または４に記載の情報表示プログラム。
【請求項６】
前記固定手順は、前記第２コンテンツを表示する位置を固定した後で、所定の操作が行われた場合は、前記第２コンテンツを表示する位置の固定を解除することを特徴とする請求項１〜５のうちいずれか１つに記載の情報表示プログラム。
【請求項７】
前記固定手順は、前記第２コンテンツを表示する位置を固定した後で、前記移動操作が所定の閾値以上行われた場合は、前記第２コンテンツを表示する位置の固定を解除することを特徴とする請求項６に記載の情報表示プログラム。
【請求項８】
前記固定手順は、前記第２コンテンツを表示する位置を固定した後で、所定の期間が経過した場合は、前記第２コンテンツを表示する位置の固定を解除することを特徴とする請求項６に記載の情報表示プログラム。
【請求項９】
前記固定手順は、前記第２コンテンツを表示する位置を画面上の第１の位置で固定し、その後、前記移動操作が所定の閾値以上行われた場合は、当該第２コンテンツを表示する位置の固定を解除するとともに、前記移動操作に従って、前記第２コンテンツを表示する位置が画面内における第２の位置まで移動した場合は、当該第２コンテンツを表示する位置を当該第２の位置に固定することを特徴とする請求項１〜８のうちいずれか１つに記載の情報表示プログラム。
【請求項１０】
前記固定手順は、前記画面のうち前記移動操作が行われた方向の端まで前記第２コンテンツが移動した場合は、当該第２コンテンツを表示する位置を固定することを特徴とする請求項１〜９のうちいずれか１つに記載の情報表示プログラム。
【請求項１１】
前記表示手順は、前記第１コンテンツと、前記第２コンテンツと、前記第１コンテンツとは異なる第３コンテンツとを表示し、
前記移動手順は、前記移動操作に従って、前記第１コンテンツと、前記第２コンテンツと、前記第３コンテンツとを移動させ
前記固定手順は、前記第２コンテンツの上端が画面の上端と接した場合は、当該第２コンテンツを表示する位置を固定し、前記第３コンテンツの上端が前記第２コンテンツの下端と接した場合は、前記第２コンテンツを表示する位置の固定を解除する
ことを特徴とする請求項１〜１０のうちいずれか１つに記載の情報表示プログラム。
【請求項１２】
前記固定手順は、前記第３コンテンツの上端が画面の上端と接した場合は、当該第３コンテンツを表示する位置を固定することを特徴とする請求項１１に記載の情報表示プログラム。
【請求項１３】
前記表示手順は、前記第２コンテンツと前記第３コンテンツとして、所定の画像を分割した画像を表示することを特徴とする請求項１１または１２に記載の情報表示プログラム。
【請求項１４】
前記表示手順は、一部に透過領域を有する第３コンテンツの背面に、前記第１コンテンツと前記第２コンテンツとを配置して表示し、
前記移動手順は、前記移動操作に従って、前記第１コンテンツと、前記第２コンテンツと、前記第３コンテンツとを移動させ
前記固定手順は、前記第２コンテンツの上端が画面の上端と接した場合は、当該第２コンテンツを表示する位置のみを固定する
ことを特徴とする請求項１〜１０のうちいずれか１つに記載の情報表示プログラム。
【請求項１５】
前記表示手順は、重ねて表示した際に１つのコンテンツを構成する前記第２コンテンツと前記第３コンテンツとを表示することを特徴とする請求項１４に記載の情報表示プログラム。
【請求項１６】
前記表示手順は、前記第２コンテンツを表示する位置の固定が解除された場合は、前記移動操作に従って、当該第２コンテンツを移動させずに、当該第２コンテンツの表示領域を前記移動操作が行われた方向へ狭めることを特徴とする請求項６〜１５のうちいずれか１つに記載の情報表示プログラム。
【請求項１７】
第１コンテンツが有する所定の領域に、当該第１コンテンツとは異なる第２コンテンツを配置して当該第１コンテンツと第２コンテンツとを表示する表示部と、
前記第１コンテンツ又は前記第２コンテンツを移動させる移動操作に従って、前記第１コンテンツと前記第２コンテンツとを同じ速度で移動させる移動部と、
前記移動操作に従って、前記第２コンテンツが画面内における所定の位置まで移動した場合は、当該第２コンテンツを表示する位置を固定する固定部と
を有することを特徴とする情報表示装置。
【請求項１８】
第１コンテンツが有する所定の領域に、当該第１コンテンツとは異なる第２コンテンツを配置して当該第１コンテンツと第２コンテンツとを表示する表示工程と、
前記第１コンテンツ又は前記第２コンテンツを移動させる移動操作に従って、前記第１コンテンツと前記第２コンテンツとを同じ速度で移動させる移動工程と、
前記移動操作に従って、前記第２コンテンツが画面内における所定の位置まで移動した場合は、当該第２コンテンツを表示する位置を固定する固定工程と
を含むことを特徴とする情報表示方法。
【請求項１９】
第１コンテンツと第１コンテンツとは異なる第２コンテンツを表示する端末装置に対して制御情報を配信する配信部を備え、
前記制御情報は、
前記第１コンテンツが有する所定の領域に、当該第１コンテンツとは異なる第２コンテンツを配置して当該第１コンテンツと第２コンテンツとを表示する表示手順と、
前記第１コンテンツ又は前記第２コンテンツを移動させる移動操作に従って、前記第１コンテンツと前記第２コンテンツとを同じ速度で移動させる移動手順と、
前記移動操作に従って、前記第２コンテンツが画面内における所定の位置まで移動した場合は、当該第２コンテンツを表示する位置を固定する固定手順と
を前記端末装置に実行させるための制御情報であることを特徴とする配信装置。
【請求項２０】
配信装置が実行する配信方法であって
第１コンテンツと第１コンテンツとは異なる第２コンテンツを表示する端末装置に対して制御情報を配信する配信工程を含み、
前記制御情報は、
前記第１コンテンツが有する所定の領域に、当該第１コンテンツとは異なる第２コンテンツを配置して当該第１コンテンツと第２コンテンツとを表示する表示手順と、
前記第１コンテンツ又は前記第２コンテンツを移動させる移動操作に従って、前記第１コンテンツと前記第２コンテンツとを同じ速度で移動させる移動手順と、
前記移動操作に従って、前記第２コンテンツが画面内における所定の位置まで移動した場合は、当該第２コンテンツを表示する位置を固定する固定手順と
を前記端末装置に実行させるための制御情報であることを特徴とする配信方法。
【手続補正２】
【補正対象書類名】明細書
【補正対象項目名】発明の名称
【補正方法】変更
【補正の内容】
【発明の名称】情報表示プログラム、情報表示装置、情報表示方法、配信装置および配信方法
【手続補正３】
【補正対象書類名】明細書
【補正対象項目名】０００１
【補正方法】変更
【補正の内容】
【０００１】
本発明は、情報表示プログラム、情報表示装置、情報表示方法、配信装置および配信方法に関する。
【手続補正４】
【補正対象書類名】明細書
【補正対象項目名】０００９
【補正方法】変更
【補正の内容】
【０００９】
以下に、本願に係る情報表示プログラム、情報表示装置、情報表示方法、配信装置および配信方法を実施するための形態（以下、「実施形態」と記載する。）について図面を参照しつつ詳細に説明する。なお、この実施形態により本願に係る情報表示プログラム、情報表示装置、情報表示方法、配信装置および配信方法が限定されるものではない。また、以下の各実施形態において同一の部位には同一の符号を付し、重複する説明は省略される。